(57)【要約】【課題】冷媒回路に関連する異常が発生しても、換気運転が行える限りは、換気運転を可能にする調湿装置を提供する。【解決手段】調湿装置（10）は、ケーシング（11）と、ケーシング（11）の空気通路（31〜34,37,38,81,82）を介して室外空気と室内空気とを換気する排気及び給気ファン（25,26）並びにダンパ（41〜48,83,84）と、空気通路を流通する空気を調湿するための冷媒回路（50）とを備えている。調湿装置（10）は、装置内部の異常を監視すると共に、検知した異常の種類を判別するコントローラ（60）をさらに備えている。コントローラ（60）は、検知した異常が冷媒回路（50）に関連する異常であって且つ排気及び給気ファン（25,26）並びにダンパ（41〜48,83,84）に関連する異常でないときには、冷媒回路（50）の冷凍サイクルを停止して調湿運転を停止すると共に、換気運転は実行可能とする。【選択図】図９
2009109124.tif 000002
【特許請求の範囲】
【請求項１】
内部に空気通路（31〜34,37,38,81,82）が形成されたケーシング（11）と、該ケーシング（11）の該空気通路（31〜34,37,38,81,82）を介して室外空気と室内空気とを換気する換気機構（25,26,41〜48,83,84）と、該空気通路（31〜34,37,38,81,82）を流通する空気を調湿するための冷媒回路（50）とを備え、該換気機構（25,26,41〜48,83,84）を作動させ且つ該冷媒回路（50）に冷凍サイクルを行わせることによって調湿した空気を室内へ供給する調湿運転を行う調湿装置であって、
装置内部の異常を監視すると共に、検知した異常の種類を判別する異常判別手段（60）をさらに備え、
前記異常判別手段（60）は、検知した異常が前記冷媒回路（50）に関連する異常であって且つ前記換気機構（25,26,41〜48,83,84）に関連する異常でないときには、前記冷媒回路（50）の冷凍サイクルを停止して前記調湿運転を停止すると共に、該換気機構（25,26,41〜48,83,84）を作動させて室外空気と室内空気とを換気する換気運転を実行可能とすることを特徴とする調湿装置。
【請求項２】
請求項１において、
前記異常判別手段（60）は、検知した異常が前記換気機構（25,26,41〜48,83,84）に関連する異常であるときには、該換気機構（25,26,41〜48,83,84）の作動を停止し且つ前記冷媒回路（50）の冷凍サイクルを停止して前記調湿運転を停止することを特徴とする調湿装置。
【請求項３】
請求項１又は２において、
前記換気機構（25,26,41〜48,83,84）は、前記ケーシング（11）内に配設されて空気を室外へ排出する排気ファン（25）と、前記ケーシング（11）内に配設された空気を室内に供給する給気ファン（26）とを有し、
前記換気機構（25,26,41〜48,83,84）に関連する異常は、前記排気ファン（25）及び前記給気ファン（26）の異常を含むことを特徴とする調湿装置。
【請求項４】
請求項１乃至３の何れか１つにおいて、
前記換気機構（25,26,41〜48,83,84）は、前記ケーシング（11）に設けられて前記空気通路（31〜34,37,38,81,82）を断続する開閉機構（41〜48,83,84）を有し、
前記換気機構（25,26,41〜48,83,84）に関連する異常は、前記開閉機構（41〜48,83,84）の異常を含むことを特徴とする調湿装置。
【請求項５】
請求項１乃至４の何れか１つにおいて、
前記冷媒回路（50）は、圧縮機（53）、四方切換弁（54）及び膨張弁（55）が接続されており、
前記冷媒回路（50）に関連する異常は、前記圧縮機（53）、前記四方切換弁（54）及び膨張弁（55）の異常を含むことを特徴とする調湿装置。
【発明の詳細な説明】
【技術分野】
【０００１】
本発明は、調湿した室外空気を室内へ供給する調湿装置に関するものである。
【背景技術】
【０００２】
従来より、取り込んだ室外空気を除湿又は加湿して室内へ供給する調湿装置が知られている（例えば、特許文献１参照）。この特許文献の調湿装置は、吸着部材に空気中の水分を吸着させる吸着動作と吸着部材から水分を脱離させる再生動作とを行って空気の湿度を調節するように構成されている。
【０００３】
この特許文献１に係る調湿装置は、２つの吸着部材をそれぞれ収容する２つの吸着部材収容空間と、室外空気及び室内空気がそれぞれ流通し且つ吸着部材収容空間に連通する複数の空気通路と、該吸着部材収容空間と各空気通路との連通及び遮断状態を切り換える開閉機構とを備えている。
【０００４】
このように構成された調湿装置は、開閉機構をそれぞれ開閉制御することによって、室内空気及び室外空気の流通態様（流路）を切り換えて、室外空気を吸着部材で調湿して室内へ供給したり、室内空気を吸着部材で調湿して室内へ供給したりしている。
【０００５】
また、かかる調湿装置は、冷媒回路における冷媒の流通を遮断し、その状態で空気通路に室外空気と室内空気とを流通させて換気だけを行う単純換気運転も行うことができる。
【特許文献１】特開２００５−２８３０５３号公報
【発明の開示】
【発明が解決しようとする課題】
【０００６】
ところで、前述のような調湿装置は、冷媒回路における冷媒の状態や圧縮機等の構成部品の異常を監視している。そして、異常が検知されたときには、調湿装置の運転を停止するように構成されている。
【０００７】
ここで、装置の異常といっても様々な異常があり、例えば、冷媒回路の圧縮機の異常もあれば、換気運転を行うファンの異常もある。それにもかかわらず、異常の種類を問わず、一律に調湿装置の運転を停止することは得策ではない。つまり、前述のような、換気運転も行える調湿装置においては、冷媒回路等に異常が発生しても、換気運転を行えうことは可能であるかもしれない。装置の一部に異常が発生しても、支障なく実行できる運転があるのであれば、該運転については実行可能とすることが好ましい。
【０００８】
本発明は、かかる点に鑑みてなされたものであり、その目的とするところは、冷媒回路に関連する異常が発生しても、換気運転が行える限りは、換気運転を可能にする調湿装置を提供することにある。
【課題を解決するための手段】
【０００９】
第１の発明は、内部に空気通路（31〜34,37,38,81,82）が形成されたケーシング（11）と、該ケーシング（11）の該空気通路（31〜34,37,38,81,82）を介して室外空気と室内空気とを換気する換気機構（25,26,41〜48,83,84）と、該空気通路（31〜34,37,38,81,82）を流通する空気を調湿するための冷媒回路（50）とを備え、該換気機構（25,26,41〜48,83,84）を作動させ且つ該冷媒回路（50）に冷凍サイクルを行わせることによって調湿した空気を室内へ供給する調湿運転を行う調湿装置が対象である。そして、装置内部の異常を監視すると共に、検知した異常の種類を判別する異常判別手段（60）をさらに備え、前記異常判別手段（60）は、検知した異常が前記冷媒回路（50）に関連する異常であって且つ前記換気機構（25,26,41〜48,83,84）に関連する異常でないときには、前記冷媒回路（50）の冷凍サイクルを停止して前記調湿運転を停止すると共に、該換気機構（25,26,41〜48,83,84）を作動させて室外空気と室内空気とを換気する換気運転を実行可能とするものとする。
【００１０】
前記の構成の場合、前記異常判別手段（60）が、調湿装置内の異常を検知し、該異常を判別するように構成されている。そして、異常判別手段（60）によって検知された異常が冷媒回路（50）に関連する異常であって換気機構（25,26,41〜48,83,84）に関連する異常でないときには、冷媒回路（50）の冷凍サイクルを停止して調湿運転を停止し且つ換気運転については実行可能な状態にしておくことによって、異常が検知されたときに、調湿装置の運転を全て停止してしまうのではなく、可能である限りは換気運転を実行することができる。
【００１１】
ここで、換気運転については実行可能な状態とは、即座に換気運転を行うか否かを問わず、換気運転を実行できる状態を意味し、調湿運転を停止するときに換気運転を実行又は続行してもよいし、調湿運転を停止するときに全運転をとりあえず停止してユーザ等の指令を待って換気運転を実行する待機状態となってもよい。
【００１２】
第２の発明は、第１の発明において、前記異常判別手段（60）は、検知した異常が前記換気機構（25,26,41〜48,83,84）に関連する異常であるときには、該換気機構（25,26,41〜48,83,84）の作動を停止し且つ前記冷媒回路（50）の冷凍サイクルを停止して前記調湿運転を停止するものとする。
【００１３】
前記の構成の場合、換気機構（25,26,41〜48,83,84）は、換気運転を行うと共に、冷媒回路（50）と協働して調湿運転も行っている。つまり、換気機構（25,26,41〜48,83,84）が正常に作動しないと、換気運転及び調湿運転の両方を正常に実行することができない。そこで、検知された異常が換気機構（25,26,41〜48,83,84）に関連する異常でるときには、換気機構（25,26,41〜48,83,84）の作動を停止して換気運転を行わないことに加えて、調湿運転も停止すべく冷媒回路（50）の冷凍サイクルも停止する。こうすることで、換気運転及び調湿運転が異常な状態で実行されることを防止することができる。
【００１４】
第３の発明は、第１又は第２の発明において、前記換気機構（25,26,41〜48,83,84）は、前記ケーシング（11）内に配設されて空気を室外へ排出する排気ファン（25）と、前記ケーシング（11）内に配設された空気を室内に供給する給気ファン（26）とを有し、前記換気機構（25,26,41〜48,83,84）に関連する異常は、前記排気ファン（25）及び前記給気ファン（26）の異常を含むものとする。
【００１５】
前記の構成の場合、前記換気機構（25,26,41〜48,83,84）に関連する異常が具体的に特定される。つまり、調湿装置が、換気機構（25,26,41〜48,83,84）として排気ファン（25）や給気ファン（26）を有する場合には、換気機構（25,26,41〜48,83,84）に関連する異常には、排気ファン（25）や給気ファン（26）の異常が含まれる。
【００１６】
第４の発明は、第１〜第３の何れか１つの発明において、前記換気機構（25,26,41〜48,83,84）は、前記ケーシング（11）に設けられて前記空気通路（31〜34,37,38,81,82）を断続する開閉機構（41〜48,83,84）を有し、前記換気機構（25,26,41〜48,83,84）に関連する異常は、前記開閉機構（41〜48,83,84）の異常を含むものとする。
【００１７】
前記の構成の場合、前記換気機構（25,26,41〜48,83,84）に関連する異常がさらに特定される。つまり、調湿装置が、換気機構（25,26,41〜48,83,84）として、空気通路（31〜34,37,38,81,82）を断続する開閉機構（41〜48,83,84）を有する場合には、換気機構（25,26,41〜48,83,84）に関連する異常には、開閉機構（41〜48,83,84）の異常が含まれる。
【００１８】
第５の発明は、第１〜第４の何れか１つの発明において、前記冷媒回路（50）は、圧縮機（53）、四方切換弁（54）及び膨張弁（55）が接続されており、前記冷媒回路（50）に関連する異常は、前記圧縮機（53）、前記四方切換弁（54）及び膨張弁（55）の異常を含むものとする。
【００１９】
前記の構成の場合、前記冷媒回路（50）に関連する異常が特定される。つまり、冷媒回路（50）に圧縮機（53）、四方切換弁（54）及び膨張弁（55）が接続されている場合には、冷媒回路（50）に関連する異常には、該圧縮機（53）、四方切換弁（54）及び膨張弁（55）の異常が含まれる。
【発明の効果】
【００２０】
本発明によれば、異常判別手段（60）によって調湿装置の異常を判別し、検知した異常が冷媒回路（50）に関連する異常であって且つ換気機構（25,26,41〜48,83,84）に関連する異常でないときには、調湿運転を停止すると共に、換気運転は実行可能とすることによって、異常が検知されても、換気運転を行える限りは換気運転を実行することができ、調湿装置を無駄に停止してしまうことを防止することができる。
【００２１】
第２の発明によれば、換気機構（25,26,41〜48,83,84）が換気運転及び調湿運転の両方に用いられる構成においては、冷媒回路（50）に関連する異常が検知され且つ換気機構（25,26,41〜48,83,84）に関連する異常が検知されたときには調湿運転を停止し且つ換気運転を実行可能とする一方、換気機構（25,26,41〜48,83,84）に関連する異常が検知されたときには、冷媒回路（50）に関連する異常が検知されるか否かに関わらず調湿運転と換気運転の両方を停止することによって、換気運転及び調湿運転が異常な状態で行われることを防止することができる。
【発明を実施するための最良の形態】
【００２２】
以下、本発明の実施形態を図面に基づいて詳細に説明する。
【００２３】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２４】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２５】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）及び電動膨張弁（55）が接続されている。冷媒回路（50）の詳細は後述する。
【００２６】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２７】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２８】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２９】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３０】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３１】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３２】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３３】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。これら第１及び第２熱交換器室（37,38）が空気通路を構成する。
【００３４】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３５】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３６】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３７】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３８】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３９】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４０】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４１】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４２】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４３】
これら給気側通路（31）、内気側通路（32）、排気側通路（33）、外気側通路（34）、第１バイパス通路（81）及び第２バイパス通路（82）が空気通路を構成する。また、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、第２排気側ダンパ（48）、第１バイパス用ダンパ（83）及び第２バイパス用ダンパ（84）が開閉機構を構成する。
【００４４】
なお、図２の右側面図及び左側面図では、第１バイパス通路（81）、第２バイパス通路（82）、第１バイパス用ダンパ（83）、及び第２バイパス用ダンパ（84）の図示を省略している。
【００４５】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。この冷媒回路（50）が調湿手段を構成する。
【００４６】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４７】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４８】
圧縮機（53）は、冷媒を圧縮する圧縮機構と、圧縮機構を駆動する電動機とが１つのケーシングに収容された全密閉型の圧縮である。圧縮機（53）の電動機へ供給する交流の周波数（即ち、圧縮機（53）の運転周波数）を変化させると、電動機により駆動される圧縮機構の回転速度が変化し、単位時間当たりに圧縮機（53）から吐出される冷媒の量が変化する。つまり、この圧縮機（53）、容量可変に構成されている。
【００４９】
冷媒回路（50）において、圧縮機（53）の吐出側と四方切換弁（54）の第１のポートとを繋ぐ配管には、高圧圧力センサ（91）と吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５０】
また、冷媒回路（50）において、圧縮機（53）の吸入側と四方切換弁（54）の第２のポートとを繋ぐ配管には、低圧圧力センサ（92）と吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５１】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５２】
〈コントローラの構成〉
調湿装置（10）には、制御部としてのコントローラ（60）が設けられている。図１及び図２では省略されているが、ケーシング（11）の前面パネル部（12）には電装品箱が取り付けられており、この電装品箱に収容された制御基板がコントローラ（60）を構成している。
【００５３】
コントローラ（60）には、内気湿度センサ（96）、内気温度センサ、外気湿度センサ（97）、外気温度センサ及び冷媒回路（50）に設けられた各センサ（91,92,…）の計測値が入力されている。また、コントローラ（60）は、圧縮機（53）のインバータ、排気ファン（25）のインバータ、給気ファン（26）のインバータ、各ダンパ（41〜48,83,84）のモータ、四方切換弁（54）のアクチュエータ及び電動膨張弁（55）のモータ等と直接又は間接的に信号の授受可能に接続されている。コントローラ（60）は、入力されたこれらの計測値に基づいて、各ダンパ（41〜48,83,84）、各ファン（25,26）、圧縮機（53）、四方切換弁（54）及び電動膨張弁（55）の動作を制御して、調湿装置（10）の運転制御を行う。調湿装置（10）では、コントローラ（60）の制御動作によって、後述する除湿換気運転と加湿換気運転と単純換気運転とが切り換えられる。
【００５４】
−運転動作−
本実施形態の調湿装置（10）は、除湿換気運転と、加湿換気運転と、単純換気運転とを選択的に行う。この調湿装置（10）は、除湿換気運転と加湿換気運転とを調湿運転として行う。
【００５５】
〈除湿換気運転〉
除湿換気運転中の調湿装置（10）では、後述する第１動作と第２動作が所定の時間間隔（例えば３〜４分間隔）で交互に繰り返される。この除湿換気運転中において、第１バイパス用ダンパ（83）及び第２バイパス用ダンパ（84）は、常に閉状態となる。
【００５６】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５７】
先ず、除湿換気運転の第１動作について説明する。図４に示すように、この第１動作中には、第１内気側ダンパ（41）、第１外気側ダンパ（43）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００５８】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００５９】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６０】
次に、除湿換気運転の第２動作について説明する。図５に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６１】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６２】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６３】
〈加湿換気運転〉
加湿換気運転中の調湿装置（10）では、後述する第１動作と第２動作が所定の時間間隔（例えば３〜４分間隔）で交互に繰り返される。この加湿換気運転中において、第１バイパス用ダンパ（83）及び第２バイパス用ダンパ（84）は、常に閉状態となる。
【００６４】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６５】
先ず、加湿換気運転の第１動作について説明する。図６に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６６】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６７】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００６８】
次に、加湿換気運転の第２動作について説明する。図７に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６９】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７０】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７１】
〈単純換気運転〉
単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。ここでは、単純換気運転中の調湿装置（10）の動作について、図８を参照しながら説明する。
【００７２】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００７３】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７４】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７５】
これら排気ファン（25）、給気ファン（26）、ダンパ（41〜48,83,84）が換気機構を構成する。
【００７６】
−異常判別−
このように除湿換気運転や加湿換気運転や単純換気運転を行うコントローラ（60）は、以下の異常判別制御も行っている。詳しくは、コントローラ（60）は、調湿装置（10）の各部、例えば、コントローラ（60）は、圧縮機（53）や四方切換弁（54）や各センサ（91〜97）の異常や、排気ファン（25）や給気ファン（26）や各ダンパ（41〜48,83,84）の異常を監視している。そして、コントローラ（60）は、異常が検知されたときに、その異常が何に関連する異常かを判別して、その判別結果に応じて調湿装置（10）に異なる動作を行わせている。このコントローラ（60）が異常判別手段を構成している。
【００７７】
以下に、異常判別制御について、図９のフローチャートを参照して詳しく説明する。
【００７８】
コントローラ（60）は、ステップＳ１において、換気運転関連の異常（詳しくは後述する）が検知されているか判定する。そして、換気運転関連の異常が検知されているときには、ステップＳ２へ進む一方、換気運転関連の異常が検知されていないときにはステップＳ３へ進む。
【００７９】
ステップＳ２では、コントローラ（60）は、圧縮機（53）、排気ファン（25）及び給気ファン（26）等の運転を停止して、調湿装置（10）の運転を全て停止する。つまり、調湿運転も単純換気運転も行わない。
【００８０】
一方、ステップＳ３では、コントローラ（60）は、冷媒回路関連の異常（詳しくは後述する）が検知されているか判定する。そして、冷媒回路関連の異常が検知されているときには、ステップＳ４へ進む一方、冷媒回路関連の異常が検知されていないときにはリターンへ進む。
【００８１】
そして、ステップＳ３では、コントローラ（60）は、圧縮機（53）の運転を停止する一方で、排気ファン（25）及び給気ファン（26）を作動させると共に、第１バイパス用ダンパ（83）及び第２バイパス用ダンパ（84）が開状態とし且つ、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態とする。つまり、冷媒回路（50）における冷凍サイクルを停止して調湿運転を停止する一方、前記単純換気運転を行う。
【００８２】
ここで、前記換気運転関連の異常とは、換気運転を正常に運転できない異常であって、例えば、排気ファン（25）の異常、給気ファン（26）の異常、各ダンパ（41〜48,83,84）の異常が挙げられる。
【００８３】
排気ファン（25）の異常は、コントローラ（60）から排気ファン（25）への指令値とそれに対する排気ファン（25）の挙動とを比較することによって検知することができる。つまり、コントローラ（60）から排気ファン（25）への指令値に対して、排気ファン（25）が指令値通りの挙動を示していないときに、排気ファン（25）が異常であると判定することができる。排気ファン（25）の挙動はモータ電流等によって検出することができる。
【００８４】
給気ファン（26）の異常は、排気ファン（25）の異常と同様に、コントローラ（60）から給気ファン（26）への指令値とそれに対する給気ファン（26）の挙動とを比較することによって検知することができる。
【００８５】
各ダンパ（41〜48,83,84）は、コントローラ（60）から各ダンパ（41〜48,83,84）への指令値とそれに対する各ダンパ（41〜48,83,84）の挙動とを比較することによって検知することができる。つまり、コントローラ（60）から各ダンパ（41〜48,83,84）への指令値に対して、各ダンパ（41〜48,83,84）が指令値通りの挙動を示していないときに、各ダンパ（41〜48,83,84）が異常であると判定することができる。各ダンパ（41〜48,83,84）の挙動は、それらの近傍に設けられたリミットスイッチ等で検出することができる。
【００８６】
一方、前記冷媒回路関連の異常とは、冷凍サイクルを正常に運転できない異常であって、例えば、圧縮機（53）のモータへの過電流異常、圧縮機（53）のインバータプリント基板の異常、四方切換弁（54）の動作異常、各センサ（91〜94）の異常、冷凍サイクルの異常等が挙げられる。
【００８７】
圧縮機（53）のモータへの過電流異常は、圧縮機（53）へのモータ電流を監視することによって検知することができる。モータ電流が正常であると考えられる所定の範囲外となることによってモータへの過電流を検知することができる。
【００８８】
圧縮機（53）のインバータプリント基板の異常は、該インバータプリント基板の内部データを監視することによって検知することができる。インバータプリント基板から読み出した内部データが想定された値でないときに、インバータプリント基板が異常であると判定することができる。
【００８９】
四方切換弁（54）の動作異常は、四方切換弁（54）から、四方切換弁（54）がコントローラ（60）の指示通りに作動していれば凝縮器として機能していると想定される吸着熱交換器（51,52）へ流れる冷媒、即ち、高圧冷媒であると想定される冷媒の温度と、高圧圧力センサ（91）に基づいて算出される凝縮温度とを比較することによって検知することができる。詳しくは、該高圧冷媒であると想定される冷媒の温度が凝縮温度以下であれば、四方切換弁（54）がコントローラ（60）の指示通りに作動しておらず、異常であると判定することができる。
【００９０】
各センサ（91〜94）の異常は、各センサ（91〜94）からの出力信号を監視することによって検知することができる。各センサ（91〜94）からの出力信号が想定される範囲外の値を示すことによって各センサ（91〜94）が異常であると判定することができる。
【００９１】
冷凍サイクルの異常は、例えば、冷媒の高圧が異常に上昇する等であって、各センサ（91〜94）からの出力信号を監視することによって検知することができる。各センサ（91〜94）からの出力信号が正常に冷凍サイクルが行われていると想定される範囲を超えた値を示すことによって冷凍サイクルが異常であると判定することができる。
【００９２】
このように、コントローラ（60）は、調湿装置（10）の異常を監視し、異常が検知されたときには、その異常の種類を判別して、異常の種類に応じた措置を取っている。つまり、コントローラ（60）は、検知した異常が冷媒回路関連の異常であって且つ換気運転関連の異常でないときには、調湿運転を停止し且つ単純換気運転を行う一方、検知した異常が換気運転関連の異常であるときには、冷媒回路関連の異常が検知されているか否かにかかわらず、調湿運転を停止すると共に単純換気運転も行わない。
【００９３】
尚、コントローラ（60）は、検知した異常が冷媒回路関連の異常であって且つ換気運転関連の異常でないときに、調湿運転を停止して、必ずしも単純換気運転を行う必要はない。例えば、調湿運転については停止し、単純換気運転の実行はユーザからの指令があるまで待機するようにしてもよい。
【００９４】
−実施形態の効果−
したがって、本実施形態によれば、調湿装置（10）内の異常を検知し、その異常が冷媒回路関連の異常であって換気運転関連の異常でないときには、圧縮機（53）の運転を停止すると共に、単純換気運転を実行することによって、除湿換気運転や加湿換気運転等の調湿運転を正常に行えない場合であっても換気運転を行える状態である限りは、換気運転を行うことができる。つまり、調湿装置（10）内で異常が生じたからといって、調湿装置（10）を完全に停止するのではなく、正常に実行できる運転については実行可能な状態とすることによって、調湿装置（10）を無駄に停止させてしまうことを防止して、調湿装置（10）を有効に作動させることができる。
【００９５】
特に、本実施形態の調湿装置（10）は、１つの装置で調湿運転と単純換気運転とを実行するため、構成部品の中には、調湿運転と単純換気運転の両方に用いられるものも多い。そこで、検知された異常を、調湿運転に関連する異常なのか、単純換気運転に関連する異常なのかを判別することによって、調湿装置（10）に異常が発生しても単純換気運転を正常に実行できるときには実行させることができる。
【００９６】
また、本実施形態の調湿装置（10）においては、排気ファン（25）、給気ファン（26）及びダンパ（41〜48,83,84）は、単純換気運転を行うときに作動するだけでなく、調湿運転を行うときにも作動する。つまり、排気ファン（25）、給気ファン（26）及びダンパ（41〜48,83,84）が正常に作動しないときには、単純換気運転だけでなく、調湿運転も正常に実行することができない。そこで、調湿装置（10）は、検知された異常が換気運転関連の異常であるときには、単純換気運転だけでなく調湿運転も停止している。こうすることで、単純換気運転及び調湿運転が異常な状態で実行されることを防止することができる。
【００９７】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【００９８】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【００９９】
−実施形態の変形例３−
前記実施形態では、調湿装置（10）が次のように構成されていてもよい。
【０１００】
図１０に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111,112）には多数の空気通路が形成されており、この空気通路を通過する際に空気が吸着剤と接触する。
【０１０１】
本変形例の調湿装置（10）は、除湿換気運転及び加湿換気運転を実行する通常運転モードと、単純換気運転及びパージ運転を実行する停止時運転モードと、除湿換気運転、加湿換気運転、単純換気運転及びパージ運転の全てを停止する強制停止モードを備えている。
【０１０２】
除湿換気運転中や加湿換気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１０３】
先ず、除湿換気運転及び加湿換気運転の第１動作について、図１０(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１０４】
次に、除湿換気運転及び加湿換気運転の第２動作について、図１０(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１０５】
そして、除湿換気運転中の調湿装置（10）は、除湿された第１空気（室外空気）を室内へ供給し、吸着素子（111,112）から脱離した水分を第２空気（室内空気）と共に室外へ排出する。また、加湿換気運転中の調湿装置（10）は、加湿された第２空気（室外空気）を室内へ供給し、吸着素子（111,112）に水分を奪われた第１空気（室内空気）を室外へ排出する。
【０１０６】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。単純換気運転中の調湿装置（10）において、室外空気や室内空気の流通経路の切り換えは行われない。
【０１０７】
−実施形態の変形例４−
上記実施形態では、調湿装置（10）が次のように構成されていてもよい。
【０１０８】
図１１に示すように、本変形例の調湿装置（10）は、本体ユニット（150）と熱源ユニット（165）とを備えている。
【０１０９】
本体ユニット（150）の内部空間は、給気通路（151）と排気通路（152）とに区画されている。給気通路（151）は、その始端が外気吸込口（153）に連通し、その終端が給気口（154）に連通している。給気通路（151）には、その始端から終端へ向かって順に、利用側熱交換器（161）と、加湿エレメント（162）と、給気ファン（157）とが配置されている。排気通路（152）は、その始端が内気吸込口（155）に連通し、その終端が排気口（156）に連通している。排気通路（152）には、排気ファン（158）が配置されている。
【０１１０】
熱源ユニット（165）は、一対の連絡配管（166）を介して利用側熱交換器（161）と接続されている。図示しないが、熱源ユニット（165）は、圧縮機や膨張弁などを備えている。この熱源ユニット（165）は、利用側熱交換器（161）と共に冷媒回路（167）を形成している。利用側熱交換器（161）は、空気を冷媒と熱交換させる空気熱交換器である。冷媒回路（167）は、利用側熱交換器（161）が蒸発器となる冷凍サイクル動作と、利用側熱交換器（161）が凝縮器となる冷凍サイクル動作とを選択的に行う。
【０１１１】
図示しないが、加湿エレメント（162）では、水通路と空気通路とが透湿膜を挟んで形成されている。水通路では、外部から供給された水道水が流通する。空気通路では、給気通路（151）を流れる空気が流通する。透湿膜は、液体である水は通過させずに水蒸気だけを通過させる。
【０１１２】
本変形例の調湿装置（10）は、除湿換気運転と、加湿換気運転と、単純換気運転とを選択的に行う。
【０１１３】
除湿換気運転中の調湿装置（10）では、利用側熱交換器（161）が蒸発器となる冷凍サイクル動作を冷媒回路（167）が行うと共に、加湿エレメント（162）に対する給水が停止される。この運転中において、利用側熱交換器（161）における冷媒の蒸発温度は、室外空気の露点温度よりも低い値に設定される。給気通路（151）へ流入した室外空気は、利用側熱交換器（161）を通過する際に冷却され、室外空気中の水分が凝縮してドレン水となる。利用側熱交換器（161）を通過した室外空気は、加湿エレメント（162）を通過した後に給気口（154）を通って室内へ供給される。利用側熱交換器（161）で生じたドレン水は、室外へ排出される。排気通路（152）へ流入した室内空気は、排気口（156）を通って室外へ排出される。
【０１１４】
加湿換気運転中の調湿装置（10）では、利用側熱交換器（161）が凝縮器となる冷凍サイクル動作を冷媒回路（167）が行うと共に、加湿エレメント（162）に対する給水が行われる。給気通路（151）へ流入した室外空気は、利用側熱交換器（161）を通過する際に加熱された後に加湿エレメント（162）へ送られる。加湿エレメント（162）では、透湿膜を通過した水蒸気が空気に付与される。加湿エレメント（162）で加湿された空気は、給気口（154）を通って室内へ供給される。排気通路（152）へ流入した室内空気は、排気口（156）を通って室外へ排出される。
【０１１５】
単純換気運転中の調湿装置（10）では、冷媒回路（167）の運転と加湿エレメント（162）に対する給水の両方が停止され、給気ファン（157）及び排気ファン（158）の運転だけが行われる。給気通路（151）へ流入した室外空気は、利用側熱交換器（161）と加湿エレメント（162）を順に通過し、その後に給気口（154）を通って室内へ供給される。排気通路（152）へ流入した室内空気は、排気口（156）を通って室外へ排出される。
【０１１６】
なお、以上の実施形態は、本質的に好ましい例示であって、本発明、その適用物、あるいはその用途の範囲を制限することを意図するものではない。
【産業上の利用可能性】
【０１１７】
以上説明したように、本発明は、室内の湿度調節を行うための調湿装置について有用である。
【図面の簡単な説明】
【０１１８】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】除湿換気運転の第１動作における空気の流れを示す調湿装置の概略の平面図、右側面図、及び左側面図である。
【図５】除湿換気運転の第２動作における空気の流れを示す調湿装置の概略の平面図、右側面図、及び左側面図である。
【図６】加湿換気運転の第１動作における空気の流れを示す調湿装置の概略の平面図、右側面図、及び左側面図である。
【図７】加湿換気運転の第２動作における空気の流れを示す調湿装置の概略の平面図、右側面図、及び左側面図である。
【図８】単純換気運転における空気の流れを示す調湿装置の概略の平面図、右側面図、及び左側面図である。
【図９】パージ運転における空気の流れを示す調湿装置の概略の平面図、右側面図、及び左側面図である。
【図１０】実施形態の変形例３の調湿装置を示す概略構成図であって、(Ａ)は第１動作中の動作を示すものであり、(Ｂ)は第２動作中の動作を示すものである。
【図１１】実施形態の変形例４の調湿装置を示す概略構成図である。
【符号の説明】
【０１１９】
10    調湿装置
11    ケーシング
25    排気ファン（換気機構）
26    給気ファン（換気機構）
31    給気側通路（空気通路）
32    内気側通路（空気通路）
33    排気側通路（空気通路）
34    外気側通路（空気通路）
37    第１熱交換器室（空気通路）
38    第２熱交換器室（空気通路）
41    第１内気側ダンパ（換気機構、開閉機構）
42    第２内気側ダンパ（換気機構、開閉機構）
43    第１外気側ダンパ（換気機構、開閉機構）
44    第２外気側ダンパ（換気機構、開閉機構）
45    第１給気側ダンパ（換気機構、開閉機構）
46    第２給気側ダンパ（換気機構、開閉機構）
47    第１排気側ダンパ（換気機構、開閉機構）
48    第２排気側ダンパ（換気機構、開閉機構）
50    冷媒回路（調湿手段）
60    コントローラ（異常判別手段）
53    圧縮機
54    四方切換弁
55    電動膨張弁（膨張弁）
81    第１バイパス通路（空気通路）
82    第２バイパス通路（空気通路）
83    第１バイパス用ダンパ（換気機構、開閉機構）
84    第２バイパス用ダンパ（換気機構、開閉機構）
【図１】
2009109124.tif 000003
【図２】
2009109124.tif 000004
【図３】
2009109124.tif 000005
【図４】
2009109124.tif 000006
【図５】
2009109124.tif 000007
【図６】
2009109124.tif 000008
【図７】
2009109124.tif 000009
【図８】
2009109124.tif 000010
【図９】
2009109124.tif 000011
【図１０】
2009109124.tif 000012
【図１１】
2009109124.tif 000013